(57)【特許請求の範囲】
【請求項１】
送信元ＭＡＣアドレスまたは送信先ＭＡＣアドレスに従ってフレームを出力ポートに振り分ける振分システムであって、
前記送信元ＭＡＣアドレスまたは前記送信先ＭＡＣアドレスとして所定の規則に基づき設定されるデータを用いて、同報フレームを所望のユーザ端末から所望の前記出力ポート側に送信し、
各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであることを特徴とする振分システム。
【請求項２】
前記送信元ＭＡＣアドレスまたは前記送信先ＭＡＣアドレスの前記データは、前記出力ポートごとに同報用テーブルに登録されていることを特徴とする請求項１に記載の振分システム。
【請求項３】
送信元ＭＡＣアドレスに従ってフレームを出力ポートに振り分ける振分システムであって、
前記送信元ＭＡＣアドレスとして所定の規則に基づき設定されるデータを用いて、同報フレームを所望のユーザ端末から所望の前記出力ポート側に送信し、
各ユーザ端末でそれぞれ使用する前記送信元ＭＡＣアドレスとして設定される前記データの前記所定の規則は、前記データのうち前記出力ポートの選択のために参照される部分であって振り分け先を示す部分が前記各ユーザ端末に対して何れも同じデータであり、
前記送信元ＭＡＣアドレスとして設定されている前記データは、前記出力ポートの選択のために参照される部分を区分けすることにより前記振り分け先を階層的に対応付けして構成され、各階層により前記出力ポートを振り分けることを特徴とする振分システム。
【請求項４】
送信元ＭＡＣアドレスまたは送信先ＭＡＣアドレスに従ってフレームを出力ポートに振り分ける振分装置であって、
前記送信元ＭＡＣアドレスまたは前記送信先ＭＡＣアドレスとして所定の規則に基づき設定されるデータを用いて、同報フレームを所望のユーザ端末から所望の前記出力ポート側に送信し、
各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであることを特徴とする振分装置。
【請求項５】
送信元ＭＡＣアドレスまたは送信先ＭＡＣアドレスに従ってフレームを出力ポートに振り分ける振分装置の振分方法であって、
前記振分装置は、前記送信元ＭＡＣアドレスまたは前記送信先ＭＡＣアドレスとして所定の規則に基づき設定されるデータを用いて、同報フレームを所望のユーザ端末から所望の前記出力ポート側に送信し、
各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであり、そのデータによって振り分けを行うことを特徴とする振分方法。
【請求項６】
前記送信元ＭＡＣアドレスまたは前記送信先ＭＡＣアドレスの前記データは、前記出力ポートごとに同報用テーブルに登録されているものが使用されることを特徴とする請求項５に記載の振分方法。
【請求項７】
送信元ＭＡＣアドレスに従ってフレームを出力ポートに振り分ける振分装置の振分方法であって、
前記振分装置は、前記送信元ＭＡＣアドレスとして所定の規則に基づき設定されるデータを用いて、同報フレームを所望のユーザ端末から所望の前記出力ポート側に送信し、
各ユーザ端末でそれぞれ使用する前記送信元ＭＡＣアドレスとして設定される前記データの前記所定の規則は、前記データのうち前記出力ポートの選択のために参照される部分であって振り分け先を示す部分が前記各ユーザ端末に対して何れも同じデータであり、
前記送信元ＭＡＣアドレスとして設定されている前記データは、前記出力ポートの選択のために参照される部分を区分けすることにより前記振り分け先を階層的に対応付けして構成され、各階層により前記出力ポートを振り分けることを特徴とする振分方法。
【発明の詳細な説明】
【技術分野】
【０００１】
本発明は、振分システム、振分装置、及び振分方法に関する。
【背景技術】
【０００２】
図９に示すように、ＭＡＣアドレス（Media Access Control address）に従い、出力ポート（Port）を振り分けるＬ２スイッチ２０１が知られている。ここで、同一のＬ２ブロードキャストドメイン２０６上に複数のゲートウェイ（ＧＷ）２０４と、これらに対応するＮＩＣ（Network Interface Card）２０３を持つユーザ端末２０２が存在する環境を想定する。左側のＧＷ２０４と接続するのは、サービスａを提供するネットワークαであり、右側のＧＷ２０４と接続するのは、サービスｂを提供するネットワークβである。ブロードキャスト用テーブル２０５は、Ｌ２スイッチ２０１に設けられていてもよいし、ここで図示しない管理データベース（ＤＢ）に設けられていてもよい。
【０００３】
ブロードキャスト用テーブル２０５は、「宛先ＭＡＣアドレス」としてブロードキャスト（Broadcast）が指定されたフレームに対して、「ＭＡＣアドレス（送信元ＭＡＣアドレス）」と、これに関連付けて「出力ポート」が登録されている。「ＭＡＣ  １」「ＭＡＣ  ２」は、ユーザ端末２０２側からそれぞれ出力ポート２、出力ポート３に接続するために送信元として指定するＭＡＣアドレスである。「ＭＡＣ  Ａ」「ＭＡＣ  Ｂ」は、サービスａ，ｂ側からそれぞれ出力ポート１に接続するために送信元として指定するＭＡＣアドレスである。
このように、かかる技術は、送信元のＭＡＣアドレスに従って適切なサービスａ又はｂへのみブロードキャストフレームを振り分けることができる。こうして、Ｌ２ブロードキャストドメイン２０６が構築されている。
非特許文献１には、レイヤ２認証におけるサイト多重帰属方式について記載されている。かかる技術ではユーザ端末の複数ネットワークへの同時接続を可能にする技術について開示されている。
【先行技術文献】
【非特許文献】
【０００４】
【非特許文献１】石川、外１名、「レイヤ２認証におけるサイト多重帰属方式」、社団法人電子情報通信学会、NS2004-12(2004-4)
【発明の概要】
【発明が解決しようとする課題】
【０００５】
しかしながら、図１０に示すように、キャリアサービスでは、１つのネットワークに多数のエンドユーザが接続するため、ブロードキャスト用テーブル２０５のエントリ数が増大し、Ｌ２スイッチ２０１の収納可能ユーザ数、サービス数に制約が生じる。すなわち、この例では、４台のユーザ端末２０２、２つのネットワーク（サービス）α，βを使用するために、ブロードキャスト用テーブル２０５には、「ＭＡＣ  １」〜「ＭＡＣ  ８」の８個のＭＡＣアドレスを格納しなければならない（なお、ユーザ端末２０２にＮＩＣを格納して図示していないが、以下でもＮＩＣを便宜上省略して図示する）。
そこで、本発明は、多数のエンドユーザが存在しても、ブロードキャスト用テーブルの格納データ量を縮減させ、振分システム（振分装置）の収容可能ユーザ数、サービス数を増大することを目的とする。
【課題を解決するための手段】
【０００６】
請求項１に記載の発明は、送信元ＭＡＣアドレスまたは送信先ＭＡＣアドレスに従ってフレームを出力ポートに振り分ける振分システムであって、前記送信元ＭＡＣアドレスまたは前記送信先ＭＡＣアドレスとして所定の規則に基づき設定されるデータを用いて、同報フレームを所望のユーザ端末から所望の前記出力ポート側に送信し、各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであることを特徴とする振分システムである。
請求項４に記載の発明は、送信元ＭＡＣアドレスまたは送信先ＭＡＣアドレスに従ってフレームを出力ポートに振り分ける振分装置であって、前記送信元ＭＡＣアドレスまたは前記送信先ＭＡＣアドレスとして所定の規則に基づき設定されるデータを用いて、同報フレームを所望のユーザ端末から所望の前記出力ポート側に送信し、各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであることを特徴とする振分装置である。
請求項５に記載の発明は、送信元ＭＡＣアドレスまたは送信先ＭＡＣアドレスに従ってフレームを出力ポートに振り分ける振分装置の振分方法であって、前記振分装置は、前記送信元ＭＡＣアドレスまたは前記送信先ＭＡＣアドレスとして所定の規則に基づき設定されるデータを用いて、同報フレームを所望のユーザ端末から所望の前記出力ポート側に送信し、各ユーザ端末でそれぞれ使用する前記送信元ＭＡＣアドレスまたは前記送信先ＭＡＣアドレスとして設定される前記データの前記所定の規則は、前記データのうち前記出力ポートの選択のために参照される部分であって振り分け先を示す部分が前記各ユーザ端末に対して何れも同じデータであり、そのデータによって振り分けを行うことを特徴とする振分方法である。
これらの発明によれば、多数のエンドユーザが存在しても、格納データ量を縮減させ、Ｌ２スイッチ等の収容可能ユーザ数、サービス数を増大することができる。
【０００７】
請求項２に記載の発明は、前記送信元ＭＡＣアドレスまたは前記送信先ＭＡＣアドレスの前記データは、前記出力ポートごとに同報用テーブルに登録されていることを特徴とする請求項１に記載の振分システムである。
請求項６に記載の発明は、前記送信元ＭＡＣアドレスまたは前記送信先ＭＡＣアドレスの前記データは、前記出力ポートごとに同報用テーブルに登録されているものが使用されることを特徴とする請求項５に記載の振分方法である。
これらの発明によれば、同報用テーブルを設けることによって、多数のエンドユーザが存在しても、同報用テーブルの格納データ量を縮減させ、Ｌ２スイッチ等の収容可能ユーザ数、サービス数を増大することができる。
【０００８】
請求項３に記載の発明は、送信元ＭＡＣアドレスに従ってフレームを出力ポートに振り分ける振分システムであって、前記送信元ＭＡＣアドレスとして所定の規則に基づき設定されるデータを用いて、同報フレームを所望のユーザ端末から所望の前記出力ポート側に送信し、各ユーザ端末でそれぞれ使用する前記送信元ＭＡＣアドレスとして設定される前記データの前記所定の規則は、前記データのうち前記出力ポートの選択のために参照される部分であって振り分け先を示す部分が前記各ユーザ端末に対して何れも同じデータであり、前記送信元ＭＡＣアドレスとして設定されている前記データは、前記出力ポートの選択のために参照される部分を区分けすることにより前記振り分け先を階層的に対応付けして構成され、各階層により前記出力ポートを振り分けることを特徴とする振分システムである。
請求項７に記載の発明は、送信元ＭＡＣアドレスに従ってフレームを出力ポートに振り分ける振分装置の振分方法であって、前記振分装置は、前記送信元ＭＡＣアドレスとして所定の規則に基づき設定されるデータを用いて、同報フレームを所望のユーザ端末から所望の前記出力ポート側に送信し、各ユーザ端末でそれぞれ使用する前記送信元ＭＡＣアドレスとして設定される前記データの前記所定の規則は、前記データのうち前記出力ポートの選択のために参照される部分であって振り分け先を示す部分が前記各ユーザ端末に対して何れも同じデータであり、前記送信元ＭＡＣアドレスとして設定されている前記データは、前記出力ポートの選択のために参照される部分を区分けすることにより前記振り分け先を階層的に対応付けして構成され、各階層により前記出力ポートを振り分けることを特徴とする振分方法である。
これらの発明によれば、ＭＡＣアドレスの各階層によりサービス（ネットワーク）を振り分けることができる。
【発明の効果】
【０００９】
本発明によれば、多数のエンドユーザが存在しても、格納データ量を縮減させ、Ｌ２スイッチ等の収容可能ユーザ数、サービス数を増大することができる。
【図面の簡単な説明】
【００１０】
【図１】本発明の一実施形態で用いるＭＡＣアドレスを２進数で示している。
【図２】本発明の一実施形態となるポート振分システムの構成図である。
【図３】本発明の一実施形態で用いるサービスコードの変形例（ａ）（ｂ）と、Ethernet（登録商標）フレームの拡張の説明図（ｃ）である。
【図４】本発明の一実施形態でＭＡＣアドレスを取得する通信のシーケンス図である。
【図５】本発明の一実施形態における一連の通信シーケンス図である。
【図６】本発明の一実施形態の変形例を説明する説明図である。
【図７】本発明の一実施形態の変形例を説明する説明図である。
【図８】本発明の一実施形態の変形例を説明する説明図である。
【図９】背景技術を説明する説明図である。
【図１０】本発明の課題を説明する説明図である。
【発明を実施するための形態】
【００１１】
以下、本発明の一実施形態について説明する。
図１は、本実施形態に用いるＭＡＣアドレスを２進数で示している。提供するサービスごとのネットワーク（後述のネットワークα，β）が予め分かっていて、今後変更の予定の無い場合には、後述のポート振分システム１００においてＮＩＣの製造の際に後述のルールに従ったＭＡＣアドレスを付与する。
【００１２】
ＭＡＣアドレスは第１オクテット〜第６オクテットまであるが、例えば冒頭の第１オクテット〜第３オクテットでＮＩＣの受け持つネットワーク（サービス）を表すようにする。そして、残りの第４オクテット〜第６オクテットでそのサービス内でＮＩＣを一意に特定する場合、前者の第１オクテット〜第３オクテットを「サービスコード」、後者の第４オクテット〜第６オクテットを「ユニークＩＤ」と呼ぶことにする。
なお、サービスコードとユニークＩＤとの区切りは、第３オクテットと第４オクテットとの間に限定されるものではなく、本システムのサービス数、ＮＩＣ数に応じて設定すべきである。また、サービスコードとユニークＩＤの順番も上記には限定されない。
【００１３】
図２は、本発明の振分システム、振分装置の実施形態となるポート振分システム１００の構成図である。ポート振分システム１００は、出力ポート（Port）１〜３となるPort1〜Port3を備え、ＭＡＣアドレスに従い、出力ポートを振り分けるＬ２スイッチ１０１を備えている。サービスを提供するネットワークα,βそれぞれにはＧＷ（ゲートウェイ）１０２が対応している。
【００１４】
この例では、４台以上のユーザ端末１０３が出力ポート１に接続されている。ユーザ端末１０３は、出力ポート２又は出力ポート３を選択可能である。各ユーザ端末１０３は、図示を省略するがＮＩＣ（Network Interface Card）を備えている。このような構成で、各ユーザ端末１０３に対応してＬ２ブロードキャストドメイン１０４が構築されている。
図１で説明したＭＡＣアドレスは、各ユーザ端末１０３に対応してＭＡＣアドレス１とＭＡＣアドレス２の２種類が用意されている。図２では、これらのＭＡＣアドレスを１６進法で表記している。ＭＡＣアドレス１は出力ポート２に接続するときに使用し、ＭＡＣアドレス２は出力ポート３に接続するときに使用する。
【００１５】
ＭＡＣアドレス１とＭＡＣアドレス２は、データの所定領域において送信先を示す部分が何れも同じデータである。具体的には、図２の例では、第１オクテット〜第３オクテットである。かかる部分の値は、各ユーザ端末１０３において、ＭＡＣアドレス１とＭＡＣアドレス２の全てで同じである。また、すべてのＬ２ブロードキャストドメイン１０４のＭＡＣアドレス１とＭＡＣアドレス２の全てで同じである。
これに対応してブロードキャスト用テーブル１０５も、ＭＡＣアドレスの上位３オクテットは、ユーザ端末１０３全てで共通であり、出力ポートの違いによってのみ異なる。すなわち、ユーザ数によらず、サービス数（ネットワーク数）分のエントリにより、ブロードキャスト用テーブル１０５のデータは異なる。
【００１６】
図３は、サービスコードの変形例である。図３（ａ）に示すように、サービスコードが第１オクテット〜第３オクテットである場合、サービスコードの冒頭部分を第１サービスコード、中間部分を第２サービスコード、最後の部分を第３サービスコードとして、これらを階層的に表記する。例えば、第１サービスコードをサービスＡ、サービスＢに区分けし、第２サービスコードでは、サービスＡに対応して、サービスＡ−１、サービスＡ−２をそれぞれ関連付ける。更に第３サービスコードでは、サービスＡ−１に対応してサービスＡ−１−ａ、サービスＡ−１−ｂをそれぞれ関連付ける。これにより、図３（ｂ）に示すように、第１サービスコードでＡネットワークとＢネットワークとを振り分け、第２サービスコードでＡ−１ネットワークとＡ−２ネットワークとを振り分け、第３サービスコードでＡ−１−ａネットワークとＡ−１−ｂネットワークとを振り分けて、サービスコードに記載された、例えばＡ−１−ａネットワークを選択することができる。すなわちＭＡＣアドレスとして設定されているデータは、サービスコードを区分けすることにより、データの送信先を階層的に対応付けして構成する。そして、各階層により前記出力ポートを振り分ける。
【００１７】
また、サービスコードをＭＡＣアドレスと別に追加するようにしてもよい。図３（ｃ）は、この例を示す説明図である。すなわち、システムで使用しているEthernet（イーサネット）（登録商標）のEthernetフレームに前記の第１サービスコード〜第３サービスコードを付加する。本例では、EthernetフレームのＭＡＣアドレスに第１サービスコードを付与し、残りのヘッダに第２サービスコード、第３サービスコードを付与している。
【００１８】
また、前記の例では、ＭＡＣアドレス１とＭＡＣアドレス２とがシステムの製造時から固定であったが、システムを接続する際にＭＡＣアドレスを取得するようにしてもよい。図４は、この場合を説明する通信シーケンス図である。通信の一方はユーザ端末１０３のＮＩＣ、他方はネットワーク（ＮＷ）側装置（Ｌ２スイッチ（ＳＷ）２０１等）である。
【００１９】
図４において、まず、ＮＩＣからＮＷ側装置へのAuto-negotiation時のLink Code Wordsを拡張する（ＮＩＣが相当する宛先ＧＷを表す情報を含める）。これを受けて、ＮＷ側装置からＮＩＣへのAuto-negotiation時のLink Code Wordsを拡張する。これにより、ＮＩＣ側でサービスコード、ユニークＩＤをLink Code Wordsに含めることができる。
そして、ＮＩＣ側でサービスコード、ユニークＩＤを元にＭＡＣアドレスを設定する。これにより、ＮＩＣ側、ＮＷ側装置側でリンクアップする。
【００２０】
前記のように、ＭＡＣアドレス１とＭＡＣアドレス２とがシステムの製造時から固定であった場合、ＭＡＣアドレスが基本的に世界で一意となるように、第１オクテットのｂ２が０の、製造者が一意に付与可能なＭＡＣアドレスにするという制約が生じる可能性がある。一方、前記のようにシステムを接続する際にＭＡＣアドレスを取得する場合は、ローカルで一意であれば充分であるため、第１オクテットのｂ２は１とする。
一方、第１オクテットのｂ１はユニキャストの場合、通常０とする。また、ここを１にすればマルチキャストの通信を行える。
【００２１】
以上のようなシステムで、一連の通信の手順について説明する。図５は、当該手順を説明する通信シーケンス図である。
まず、ＮＩＣが担当する宛先ＧＷ（ゲートウェイ）はＮＷ（ネットワーク）αであることをAuto-negotiation時のLink Code Wordsを拡張することでＮＷ側装置へ知らせる。
次に、ＮＷ（ネットワーク）αのサービスコードを管理ＤＢ（データベース)に問い合わせる。ここでは、前記のブロードキャスト用テーブル１０５等をシステムの管理ＤＢで管理しているからである。
【００２２】
これを受けて管理ＤＢは、サービスコードである例えば上位の３オクテット（この例で、０２：００：００）と、ユニークＩＤである例えば下位の３オクテット（この例で、００：００：０１）をＮＷ側装置に通知する。これを受けて、ＮＷ側装置は、Auto-negotiation時のLink Code Wordsを拡張することで、サービスコード０２：００：００とユニークＩＤ００：００：０１をＮＩＣ側に通知する。これにより、ＮＩＣ側ではＭＡＣアドレス０２：００：００：００：００：０１を設定する。これにより、ＮＩＣとＮＷ側装置との通信はリンクアップする。
【００２３】
その後、ＮＩＣは、送信元のＭＡＣアドレスを０２：００：００：００：００：０１としてブロードキャストフレームをＮＷ側装置に送信する。ＮＷ側装置は、このＭＡＣアドレスからＮＷ（ネットワーク）α向けのデータ送信であることを判定する。当該ブロードキャストフレームを該当するＮＷ（ネットワーク）αに送信する。
なお、物理ＮＩＣの背景で仮想ＮＩＣ（ｖＮＩＣ）が存在し、ＭＡＣアドレスを仮想ＮＩＣに伝えるようにしてもよい。
【００２４】
以上説明したポート振分システム１００は、Ｌ２スイッチ１０１が持つべきブロードキャスト用テーブル１０５のエントリ数が収容ユーザ数×サービス数（ネットワーク数）ではなく、サービス数（ネットワーク数）によって決まるため、多数のエンドユーザが存在しても、ブロードキャスト用テーブルの格納データ量を縮減させ、Ｌ２スイッチの収容可能ユーザ数、サービス数を増大することができる。
また、ＭＡＣアドレスを階層的に構成する場合は、各階層によりサービス（ネットワーク）を振り分けることができる。
【００２５】
次に、以上の構成の応用例について説明する。
図６に示すように、応用例におけるブロードキャストフレームでは、ＭＡＣアドレスのサービスコードの１又は複数ビットずつに、ＮＩＣを具備するデバイスの能力や属性を対応させる。このような能力や属性とサービスコードの関連付けとしては、デバイスに磁気センサ有、加速度センサ有、２Ｄデバイス有、３Ｄデバイス有等、図６に例示している。
一方、図７に示すように、Ｌ２スイッチ１０１には、各出力ポートにデバイス１５１，１５２，１５３が接続されている。また、Ｌ２スイッチ１０１はＭＡＣアドレステーブル１６１を備えている。ＭＡＣアドレステーブル１６１は各デバイス１５１，１５２，１５３のＭＡＣアドレスと出力ポートとが関連付けられている。
【００２６】
また、ここで、各デバイス１５１，１５２，１５３のＭＡＣアドレスは、図８に示すように、ＭＡＣアドレスのサービスコードの１又は複数ビットずつに、当該各デバイス１５１，１５２，１５３の現実の能力や属性を対応させている。このような能力や属性とサービスコードの関連付けとしては、デバイスに磁気センサ有、加速度センサ有、２Ｄデバイス有、３Ｄデバイス有等、図６と同様である。例えば、図７でデバイス１５２の第１オクテットのｂ８、ｂ７には、夫々“１”“１”が記録されているが、これらは夫々デバイス１５２に磁気センサ有、加速度センサ有であることを意味している。
【００２７】
ここで、図７に示すように、ブロードキャスト送信元１６３から、図６に示したブロー
ドキャストフレーム１６２を送信するものとする。このブロードキャストフレーム１６２
のＭＡＣアドレスは、図７に示す符号であり、ブロードキャスト送信元１６３からＬ２ス
イッチ１０１に送信するものとする。なお、このように、図６のデータをブロードキャス
トで送信するときは、宛先ＭＡＣアドレスの各ビットがすべて“１”（ＦＦ：ＦＦ：ＦＦ
：ＦＦ：ＦＦ：ＦＦ）である一般的なブロードキャストフレームとは異なり、ユニークＩ
Ｄ及び第１オクテットのｂ１を“１”にする。
【００２８】
送信した図７のＭＡＣアドレスと図７のＭＡＣアドレステーブル１６１に登録されているＭＡＣアドレスとを比較して、該当する１又は複数ビットが同じときは、ブロードキャストフレーム１６２のＭＡＣアドレスが指示する能力や属性と各デバイス１５１，１５２，１５３のいずれかの能力や属性が一致するということである。例えば、図６で、磁気センサ有を示すｂ８と加速度センサ有を示すｂ７とが“１”であれば、磁気センサ有かつ加速度センサ有のデバイスを指定している。
これに対して図８に示すようにデバイス１５２の磁気センサ有、加速度センサ有を示す第１オクテットのｂ８、ｂ７も“１”であり、両ＭＡＣアドレスの該ビットが合致するので、当該デバイス１５２が選択され、ブロードキャストフレーム１６２はデバイス１５２にブロードキャストされる。この点は、デバイス１５３の磁気センサ有、加速度センサ有を示す第１オクテットのｂ８、ｂ７も“１”であるので同様であり、同様にブロードキャストフレーム１６２はデバイス１５３にブロードキャストされる。
これにより、所望の能力や属性を備えたデバイスに対してブロードキャストを行うことが可能になる。
【符号の説明】
【００２９】
１      ＭＡＣアドレス
２      ＭＡＣアドレス
１００  ポート振分システム（振分システム、振分装置）
１０５  ブロードキャスト用テーブル
【図１】
0006445985.tif 000002
【図２】
0006445985.tif 000003
【図３】
0006445985.tif 000004
【図４】
0006445985.tif 000005
【図５】
0006445985.tif 000006
【図６】
0006445985.tif 000007
【図７】
0006445985.tif 000008
【図８】
0006445985.tif 000009
【図９】
0006445985.tif 000010
【図１０】
0006445985.tif 000011